(57)【要約】革新的で非常に効率的なライトシステムが本明細書に開示される。ライトシステムは、内側シュラウド及び外側シュラウドを有するハウジングと、第１光源と、第２光源とを含む。内側シュラウドは外側シュラウド内に配置され、全ての光源は内側シュラウド内に配置される。第２光源は、光及び熱を生成することができる。第２光源からの熱は、第１光源がより効率的に光を生成するために、第１光源によって吸収され得る。ライトシステムは、第１光源及び第２光源の両方から同時に光を提供することができる。外側シュラウドの内面は、第１及び第２の光源によって生成された可視光の出力を依然として可能にしながら、ハウジング内に第２光源から生成された熱を保持するように構成された赤外線反射コーティングを含むことができる。
2019522321.tif 000002
【特許請求の範囲】
【請求項１】
装置であって、
第１空洞、第１内面、及び第１外面を有する第１ハウジングと、
第２空洞、第２内面、及び第２外面を有する第２ハウジングと、
前記第２空洞内に配置される第１光源と、
前記第１ハウジングおよび前記第２ハウジングのうち少なくとも１つの表面に配置される反射コーティングと、
を含み、
前記第２空洞は前記第１空洞より小さく、前記第２ハウジングは前記第１空洞内に配置される、装置。
【請求項２】
前記第２空洞内に配置される第２光源をさらに含む請求項１に記載の装置。
【請求項３】
前記第１光源は、ナトリウム蒸気型の光源である、請求項２に記載の装置。
【請求項４】
前記第２光源は、メタルハライド型の光源である、請求項３に記載の装置。
【請求項５】
前記反射コーティングは、前記第１ハウジングの前記第１内面上に配置される、請求項１に記載の装置。
【請求項６】
前記第２空洞は、少なくとも１つのガスを含む、請求項１に記載の装置。
【請求項７】
前記反射コーティングは、赤外線を反射するように構成された赤外線（ＩＲ）反射コーティングである、請求項１に記載の装置。
【請求項８】
前記赤外線反射コーティングは、７００ｎｍ以下の光波の９４％を透過させる、請求項７に記載の装置。
【請求項９】
前記赤外線反射コーティングは、１２００ｎｍ以上の光波の９４％を反射させる、請求項８に記載の装置。
【請求項１０】
装置であって、
空洞、内面、及び外面を有するハウジングと、
前記空洞内に配置される第１光源と、
前記空洞内に配置される第２光源と、
前記ハウジングのうち少なくとも１つの表面上に配置される反射コーティングと、
を含む装置。
【請求項１１】
前記第１光源は、ナトリウム蒸気型の光源である、請求項９に記載の装置。
【請求項１２】
前記第２光源は、メタルハライド型の光源である、請求項１０に記載の装置。
【請求項１３】
前記反射コーティングは、赤外線を反射するように構成された赤外線（ＩＲ）反射コーティングである、請求項９に記載の装置。
【請求項１４】
前記反射コーティングは、前記ハウジングの内面上に配置される、請求項９に記載の装置。
【請求項１５】
装置であって、
空洞、内面、及び外面を有するハウジングと、
前記空洞内に配置される少なくとも１つの光源と、
前記ハウジングのうち少なくとも１つの表面及び前記少なくとも１つの光源のうち少なくとも１つの表面に配置される反射コーティングと、
を含み、
前記少なくとも１つの光源は、内面及び外面を有する、装置。
【請求項１６】
前記反射コーティングは、赤外線反射コーティングである、請求項１５に記載の装置。
【請求項１７】
前記反射コーティングは、前記ハウジングの内面及び前記少なくとも１つの光源の内面上に配置される、請求項１５に記載の装置。
【請求項１８】
前記反射コーティングは、前記ハウジングの外面及び前記少なくとも１つの光源の内面上に配置される、請求項１５に記載の装置。
【請求項１９】
前記反射コーティングは、前記ハウジングの外面及び前記少なくとも１つの光源の外面上に配置される、請求項１５に記載の装置。
【請求項２０】
前記反射コーティングは、前記ハウジングの内面及び前記少なくとも１つの光源の外面上に配置される、請求項１５に記載の装置。
【発明の詳細な説明】
【技術分野】
【０００１】
本発明の実施形態は、１つ以上の異なる種類の光源を同時に使用する（例えば、投光ランプ（flood lamps）、道路照明、倉庫などのための）ライトシステムに関する。特に、本明細書に開示されたライトシステムは、シュラウド（shroud）内に配置する特別に作られたメタルハライド（metal halide）型の光源（light source : ＬＳ）及びナトリウム蒸気（sodium vapor）型の光源（ＬＳ）を含み、メタルハライドの光源からの熱損失がこのような方式で使用される場合、結果的にシステムの全般的な効率は非常に高くなる。この新しい技術は、ＨＬＣ（熱光変換；Heat to Light Conversion）と呼ばれる。
【背景技術】
【０００２】
［関連出願の相互参照］
本出願は、２０１６年６月３０日に出願された「高効率ライトシステム」と題する米国仮特許出願第６２／３５６，８２０号の優先権及びその利益を主張するものであり、その全体の内容は本明細書に参考として組み込まれる。
【０００３】
多くのライトシステム（街路ライトシステム、駐車場の投光ライトシステム、建物周辺の投光ライトシステムなど）は、ナトリウム蒸気ランプを使用している。
ナトリウム蒸気ランプは、ガスをイオン化するように電気アークを生成するガス放電ランプである。典型的にナトリウム蒸気ランプは、希ガス（noble gases）（例えば、ネオン及びアルゴン）の混合物を含む。ガスのイオン化の結果である自由電子は、ナトリウム蒸気原子と衝突して黄色光を生成する。低圧ナトリウム蒸気ランプは、ほぼ単色の黄色光を生成し、これにより、光害（light pollution）を低減し、環境（動植物の両方）に対する照明効果を制限し、ヒトの目を様々な照明レベルにより簡単に適応させることができる。典型的な発光効率は、ワット当たり１５０ルーメンである。
【０００４】
メタルハライドランプは、典型的には、広域天井照明の場所（例えば、駐車場、スポーツ競技場、工場、及び小売店などの商業用、工業用、及び公共スペース）および自動車のヘッドランプに使用される。ナトリウム蒸気ランプと同様に、メタルハライドランプもまたガス放電ランプであるが、メタルハライドランプは、気化した水銀と金属ハロゲン化物（金属と臭素又はヨウ素の化合物）のガス混合物を介して電気アークを生成することによって実質的に白色光を生成する。その結果、メタルハライドランプは、ワット当たり約７５〜１００ルーメンの発光効率を有する。メタルハライドランプは、屋外の光源に使用することができるが、メタルハライドランプによって生成される白色光は、ナトリウム蒸気ランプよりもさらに多くの量の光害を引き起こす。また、ヒトの目は、ナトリウム蒸気ランプの黄色光よりもメタルハライドランプの白色光によって照らされる様々な光レベルに適応するために、さらに長い時間がかかる。メタルハライドランプで消費されるエネルギーの約２５％は光を生成するために使用され、消費されたエネルギーの残りの７５％は熱に変換される。
【０００５】
多くのガス放電ランプ、より具体的には、金属蒸気ベースのランプは、動作するために熱の形で高い量のエネルギーを必要とする。熱は、蒸気状態に金属粒子を維持するために使用され、従って、蒸気状態に金属粒子を維持するためには、ランプのハウジング内で高温を維持しなければならない。本発明の実施形態は、一般に、ナトリウム蒸気ＬＳ（第１ＬＳ）及び金属ハロゲンＬＳ（第２ＬＳ）の両方を使用して従来の光源技術よりもさらに効率的なライトシステム技術を作り出すライトシステムに関する。本発明の実施形態は、ワット当たり３００ルーメンまでの発光効率を含むことができる。本発明の実施形態は、黄色と白色とを組み合わせわせた光を出力するライトシステムにおいて、第２ＬＳの熱損失を使用して第１ＬＳの効率を向上させる。さらに、本発明の実施形態は、第１ＬＳ及び第２ＬＳを囲む少なくとも１つのシュラウドを含んでもよく、少なくとも１つのシュラウドは、赤外線をシュラウド内に反射することによってシュラウド内に要求される高温を維持するために赤外線（ＩＲ）コーティングを含む。
【発明の概要】
【課題を解決するための手段】
【０００６】
例示的な一実施形態によれば、本発明は、本明細書に示し説明したように、少なくとも１つの他の光源から光をより効率的に生成するために、少なくとも１つの光源の熱出力を使用するライトシステムを含む。
【０００７】
第２の実施形態によれば、本発明は、ハウジング、第１光源、及び第２光源を含む装置を含む。ハウジングは、少なくとも内側シュラウド及び外側シュラウドを含むことができる。内側シュラウドは、外側シュラウド内に同心円状に配置されてもよい。第１光源及び第２光源の両方を内側シュラウド内に配置してもよい。第１光源は、ナトリウム蒸気ＬＳであってもよい。第２光源は、光及び熱の両方を出力する金属ハロゲンＬＳであってもよい。第２光源からの熱は、第１光源から吸収されて、第１光源の固体金属粒子を加熱して蒸気に変換されてもよい。第１光源の自由電子は、蒸気原子と衝突して第１光源から光を放出する。従って、ライトシステムは、第１光源及び第２光源の両方から同時に光を提供することができる。外側シュラウドの内面は、第１及び第２の光源によって生成された可視光の出力を依然として可能にしながら、ハウジング内で第２光源から生成された熱を保持するように構成された反射コーティングを含むことができる。
【０００８】
第３の実施形態によれば、本発明は、ハウジング及び単一の光源を備える装置を含む。ハウジングは、少なくとも内側シュラウド及び外側シュラウドを含むことができる。内側シュラウドは、外側シュラウド内に同心円状に配置されてもよい。光源は、内側シュラウド内に配置されてもよい。光源は、光及び熱の両方を出力するナトリウム蒸気型の光源であってもよい。光源からの熱は、内側シュラウド内に含まれ、光源自体によって吸収されて、光源の固体金属粒子を加熱して蒸気に変換されてもよい。光源の自由電子は、蒸気原子と衝突して光源から光を放出する。従って、ライトシステムは、光源から光を提供することができる。
【０００９】
シュラウドの少なくとも１つの表面は、光源によって生成された可視光の出力を依然として可能にしながら、光源から生成された熱をハウジング内に保持するように構成された反射コーティングを含むことができる。
【００１０】
第４の実施形態によれば、本発明は、第２の実施形態と同様に、ハウジング、第１光源、及び第２光源を含む。しかしながら、第２の実施形態とは異なり、ハウジングは単一のシュラウドのみを含むことができる。第１光源及び第２光源の両方をシュラウド内に配置してもよい。第１光源は、ナトリウム蒸気ＬＳであってもよい。第２光源は、光及び熱の両方を出力する金属ハロゲンＬＳであってもよい。第２光源からの熱は、第１光源から吸収されて固体金属粒子を加熱して蒸気に変換されてもよい。第１光源の自由電子は、蒸気原子と衝突して光源から光を放出する。従って、ライトシステムは、第１光源及び第２光源の両方から同時に光を提供することができる。シュラウドの内面は、第１及び第２の光源によって生成された可視光の出力を依然として可能にしながら、ハウジング内で第２光源から生成された熱を保持するように構成された反射コーティングを含むことができる。
【００１１】
第５の実施形態によれば、本発明は、ハウジング及び単一の光源を備える装置を含む。第４の実施形態と同様に、ハウジングは、単一のシュラウドのみを含み、光源は、単一のシュラウド内に配置されてもよい。光源は、光及び熱の両方を出力するナトリウム蒸気型の光源であってもよい。光源からの熱は、単一のシュラウド内に含まれ、光源自体によって吸収されて光源の固体金属粒子を加熱して蒸気に変換されてもよい。光源の自由電子は、蒸気原子と衝突して光源から光を放出する。従って、ライトシステムは、単一の光源から光を提供することができる。この実施形態では、光源及び単一のシュラウドの両方が、単一の光源によって生成された可視光の出力を依然として可能にしながら、ハウジング内の単一の光源及び最終的に単一の光源から生成された熱を保持するように構成された反射コーティングを含むことができる。
【図面の簡単な説明】
【００１２】
【図１】本発明の実施形態による屋外ライトシステムの概略図を示す。
【図２】図１に示す屋外ライトシステムの実施形態のハウジングの第１の実施形態の斜視図を示す。
【図３】図１に示す屋外ライトシステムの実施形態のハウジングの第２の実施形態の斜視図を示す。
【図４】図１に示す屋外ライトシステムの実施形態のハウジングの第３の実施形態の斜視図を示す。
【図５】図１に示す屋外ライトシステムの実施形態のハウジングの第３の実施形態の斜視図を示す。
【図６】様々な光波長について、図１に示す屋外ライトシステムの実施形態のコーティングの反射率及び透過率特性を示すグラフ図である。
【発明を実施するための形態】
【００１３】
本開示を通して、同一の要素を識別するために同一の参照番号が使用される。
図１に示すように、ライトシステム（light system）１０又は屋外ライトシステムは、第１光源２００と第２光源３００とを囲むハウジング１００を含む。ライトシステム１０は、コネクタ４００、ワイヤルーム（loom of wires）５００、安定器（ballast）６００、及び商用電源又は主電源（mains electricity or mains power）７００をさらに含む。図に示すように、コネクタ４００は、ハウジング１００の下部及びハウジング１００内に配置された第１及び第２の光源２００，３００に接続される。コネクタ４００は、所望の電力を提供する既存の照明器具（existing light fittings）を用いてライトシステム１０が動作することを可能にする任意のタイプのコネクタであってもよい。コネクタ４００はまた、第１光源２００のワイヤ２１０及び第２光源３００のワイヤ３１０がハウジング１００から出ることを可能にしながら、ハウジング１００と気密封止を形成することができる。図１は、コネクタ４００の外側に配置されたワイヤルーム５００及び安定器６００を示すが、他の実施形態では、ワイヤルーム５００及び安定器６００は、コネクタ４００内に配置又は収容されてもよい。コネクタ４００と安定器６００との間に延びるワイヤルーム５００は、第１光源２００のワイヤ２１０及び第２光源３００のワイヤ３１０を安定器６００に渡す（deliver）。
【００１４】
図１に示すように、安定器６００は、主電源７００から第１及び第２の光源２００，３００に電力を伝達するためにＡＣ主電源７００に接続される制御構成要素を含む。安定器６００は、ランプドライバ６１０及び高電圧ＤＣコンバータ／アイソレータ６２０を含む。ランプドライバ６１０は、第１及び第２の光源２００，３００に伝達される電力を調整する電気デバイスであってもよい。ランプドライバ６１０は、その電気的特性が温度及び圧力と共に変化するときに、第１及び第２の光源２００，３００に一定量の電力を提供することによって第１及び第２の光源２００，３００の変化する要求に応えることができる。高電圧ＤＣコンバータ６２０は、ドライバ６１０を動作させるために使用される。ドライバ６１０は、適切なＡＣ電力を２つの光源２００，３００に順に供給する。
【００１５】
図１にさらに示すように、主電源７００は、安定器６００に接続される。また他の実施形態では、安定器６００がコネクタ４００内に配置又は収容される場合、主電源７００は、任意のＡＣ電源（例えば、壁面コンセントなど）からライトシステム１０にＡＣ電力を伝達するためにコネクタ４００に動作可能に接続される。主電源７００は、負端子７１０、接地端子７２０、及び正端子７３０を含むことができる。正端子７３０は、電力が主電源７００から安定器６００に、究極的には、第１及び第２の光源に伝達されるかどうかを調整するスイッチ７４０をさらに備えてもよい。
【００１６】
図２を参照すると、ライトシステム１０のハウジング１００の詳細な斜視図が示されている。ハウジング１００は、第１端部１０２及び第１端部１０２に対向する第２端部１０４を含む。ハウジング１００は、外側容器又はシュラウド１１０及び内側容器又はシュラウド１２０をさらに含む。内側シュラウド１２０は、外側シュラウド１１０よりも大きさ及び体積が小さくてもよく、内側シュラウド１２０は、外側シュラウド１１０内に完全に配置されてもよい。従って、外側シュラウド１１０は、内側シュラウド１２０を完全に囲む。内側シュラウド１２０は、外側シュラウド１１０及び内側シュラウド１２０が同心円状に整列するように外側シュラウド１１０内に配置されてもよい。図２に示すように、空洞（cavity）１３０は、外側シュラウド１１０の内面と内側シュラウド１２０の外面との間に設けられる。外側シュラウド１１０の内面と内側シュラウド１２０の外面との間の距離は、約３ｍｍであってもよい。他の実施形態では、外側シュラウド１１０の内壁と内側シュラウド１２０の外壁との間の距離は、３ｍｍよりも大きいか又は小さくてもよい。この空洞１３０は、高真空（１００ｍＰａ〜１００ｎＰａ範囲の圧力）を含むことができる。また、シュラウド１１０，１２０は、実質的に円筒形として示されているが、任意の所望の形状（例えば、長方形、楕円形、球形など）であってもよい。しかし、円筒形及び楕円形のシュラウド１１０，１２０は、第１光源２００に対する第２光源３００の放射及び加熱効果を向上させることができる。
【００１７】
図２に示すように、内側シュラウド１２０は、第１光源２００及び第２光源３００を含むか又は収容する内側領域１４０を画定する。従って、第１光源２００及び第２光源３００は、内側シュラウド１２０の内側領域１４０内に配置される。さらに内側シュラウド１２０はまた、不活性又は不活性でないガス（inert or non inert gas）１４２、又はガスの混合物を貯蔵又は保持することができる。ガス１４２は、希ガス（noble gases）（例えば、ヘリウム、ネオン、アルゴン、クリプトン、キセノン）、又は希ガス１４２の混合物であってもよい。貯蔵されたガス１４２は、０から７６９トル（Torr）の間の圧力で内側シュラウド１２０の内側領域１４０内に保持されてもよい。ガス１４２は、伝導（conduction）によって第２光源３００から第１光源２００への熱伝達を助ける。不活性ガス（inert gas）１４２はまた、第２光源３００によって発生した熱を内側シュラウド１２０の内側領域１４０全体に均等に分配するように働く。
【００１８】
上述したように、ハウジング１００は、内側シュラウド１２０によって画定された内側領域１４０内に配置された第１光源２００及び第２光源３００を含む。第１光源２００は、黄色の色相又は色を有する光を生成するナトリウム蒸気型ＬＳであってもよい。第１光源２００は、平均波長が約５８９ｎｍである実質的に単色光を有する光を生成することができる。第１光源２００は、第１端部２２０及び第２端部２３０を有する管形状である。さらに、第１光源２００は、第１光源２００が第１端部２２０と第２端部２３０との間で内側シュラウド１２０の内側領域１４０を巡って湾曲して曲がることを可能にする７つの管状部分（tubular section）２４０，２４１，２４２、２４３，２４４，２４５、２４６を含む。図に示すように、管状部分２４０，２４１，２４２、２４３，２４４，２４５、２４６は、第１光源２００のいくつかのＵ字形部分を生成し、Ｕ字形部分は、内側シュラウド１２０の内側領域１４０を巡って曲がる。他の実施形態では、第１光源２００は、任意の数の管状部分を含むことができる。さらに、第１光源２００は、任意の所望の形状であってもよく、単一の線状管又は単一Ｕ字形管のみで形成されてもよい。ライトシステム１０のまた他の実施形態では、第１光源２００は、任意の型の光源であってもよく、ナトリウム蒸気型の光源だけに限定されない。図１及び図２は、２つの光源２００，３００を示しているが、ライトシステム１０は、ハウジング１００に配置された２つ以上の光源を含むことができる。
【００１９】
さらに図に示すように、ワイヤ２１０が第１及び第２端部２２０，２３０から延びる。ワイヤ２１０は、第１光源２００の第１端部２２０から下方に延びる第１組のワイヤ２１２、及び第１光源２００の第２端部２３０から下方に延びる第２組のワイヤ２１４を含む。第１組及び第２組のワイヤ２１２，２１４は、ハウジング１００の第２端部１０４を介して及びコネクタ４００（図１に示す）を介して延びることができる。第１組のワイヤ２１２は、第１光源２００の第１端部２２０に近い第１管状部分２４０内に配置されたフィラメント又は電極（図示せず）に電力を供給することができる。第２組のワイヤ２１４は、第１光源２００の第２端部２３０に近い第７管状部分２４６内に配置されたフィラメント、又は電極（図示せず）に電力を供給することができる。第１組及び第２組のワイヤ２１２，２１４はまた、内側領域１４０内の第１光源２００を支持する。
【００２０】
光源２００はまた、希ガス（例えば、ネオン、アルゴンなど）と混合したナトリウム粒子を含む。第１光源２００内に配置された希ガスは、従来のナトリウム蒸気ランプの圧力より小さい最大８トルの圧力で第１光源２００内に配置されてもよい。第１光源２００の２本のフィラメントの間に電気アークが発生し、管内の電気アークによって加速された自由電子がガス原子と衝突して可視光を生成する。
【００２１】
続けて図２を参照すると、第２光源３００は、任意の型の光源であってもよく、これは、白色の色相又は色を有する光を生成するメタルハライドランプを含むが、これらに限定されることはない。第２光源３００は、内側シュラウド１２０の内側領域１４０内の中央に配置されてもよい。図に示すように第１光源２００は、第２光源３００の周りで湾曲して曲がる。第２光源３００は、第２光源３００からハウジング１００の第２端部１０４を介して及びコネクタ４００（図１に示す）を介して下方に延びる１組のワイヤ３１０を含む。１組のワイヤ３１０は、第２光源３００に電力を伝達し、また内側シュラウド１２０の内側領域１４０内に第２光源３００の位置決めを支持する。第２光源３００がメタルハライドランプである場合、第２光源３００は、気化した水銀と金属ハロゲン化物（金属と臭素又はヨウ素の化合物）のガス混合物を用いて電気アークを生成することによって動作することができる。第２光源３００によって消費されたエネルギーの約２５％が光を生成するために使用され、消費されたエネルギーの残りの７５％が熱に変換される。
【００２２】
第１光源２００及び第２光源３００の両方は、ライトシステム１０から光を同時に生成するように同時に動作可能である。上述のように、ライトシステム１０が第１及び第２の光源２００，３００を含む場合、ライトシステム１０は、第１光源２００からの黄色光及び第２光源３００からの白色光を同時に生成する。ライトシステム１０の他の実施形態は、第１及び第２の光源２００，３００のタイプに応じて他の色の光を生成するように構成してもよい。同一の内側シュラウド１２０内に第１及び第２の光源２００，３００を配置し、第２光源３００の周りで第１光源２００を湾曲させることにより、第２光源３００によって発生した熱は第１光源２００によって吸収される。吸収された熱は、第１光源２００が固体金属粒子（即ち、本発明の実施形態におけるナトリウム）をそれらの蒸気形態に変換するのを助け、第１光源２００がこの変換を行うためにより少ない電力を使用することを可能にする。さらに、吸収された熱はまた、第１光源２００がその動作温度を維持するのを助け、これはまた、第１光源２００が光を出力するときに、より少ない電力を使用することを可能にする。
【００２３】
図２は、外側シュラウド１１０の内面上のコーティング１５０をさらに示す。コーティング１５０は、赤外線光波（infrared light wave）を内側シュラウド１２０の内側領域１４０内に再び反射させるように構成された赤外線（ＩＲ）コーティングであってもよい。従って、コーティング１５０は、内側シュラウド１２０の内側領域１４０内で光源２００，３００から発生する熱を反射して保持するように構成される。コーティング１５０は、ハウジング１００に絶縁を提供するだけでなく、可視光波（約４００〜７００ｎｍ）が内側及び外側シュラウド１１０，１２０の外に進むようにする。ライトシステム１０のまた他の実施形態は、外側シュラウド１１０の外面、内側シュラウド１２０の外面、及び／又は内側シュラウド１２０の内面上のコーティングを含むことができる。ライトシステム１０が２つ以上のシュラウドを含むまた他の実施形態では、ＩＲコーティング１５０は、ライトシステム１０の任意のシュラウドの任意の表面（例えば、内面及び／又は外面上にあってもよい）。
【００２４】
図３を参照すると、ライトシステム１０のハウジング１０００の第２の実施形態の詳細な斜視図が示されている。第１の実施形態と同様に、ハウジング１０００の第２の実施形態は、第１端部１１０２及び第１端部１１０２に対向する第２端部１１０４を含む。ハウジング１０００は、外側容器又はシュラウド１１１０及び内側容器又はシュラウド１１２０をさらに含む。内側シュラウド１１２０は、外側シュラウド１１１０よりも大きさ及び体積が小さくてもよく、内側シュラウド１１２０は、外側シュラウド１１１０内に完全に配置されてもよい。従って、外側シュラウド１１１０は、内側シュラウド１１２０を完全に囲む。内側シュラウド１１２０は、外側シュラウド１１１０及び内側シュラウド１１２０が同心円状に整列するように外側シュラウド１１１０内に配置されてもよい。ハウジング１０００の第２の実施形態は、外側シュラウド１１１０の内面と内側シュラウド１１２０の外面との間に設けられた空洞１１３０をさらに含む。外側シュラウド１１１０の内面と内側シュラウド１１２０の外面との間の距離は、約３ｍｍであってもよい。他の実施形態では、外側シュラウド１１１０の内壁と内側シュラウド１１２０の外壁との間の距離は、３ｍｍより大きい又は小さくてもよい。この空洞１１３０は、高真空（１００ｍＰａ〜１００ｎＰａ範囲の圧力）を含むことができる。
【００２５】
ハウジング１００，１０００のまた他の実施形態では、ハウジングは、２つ以上のシュラウドを含むことができる。即ち、ハウジング１００，１０００の他の実施形態は、最も内側のシュラウド、最も外側のシュラウド、及び最も内側のシュラウドを囲んで最も外側のシュラウドによって囲まれている任意の数の中間シュラウドを含むことができる。上述したように、このような複数のシュラウドのそれぞれは、任意の距離で分離してもよい。
【００２６】
図３にさらに示すように、第１の実施形態と同様に、内側シュラウド１１２０は、内側領域１１４０を画定する。しかし、第１の実施形態とは異なり、内側シュラウド１１２０の内側領域１１４０は、単一の光源１２００を含むか又は収容する。内側シュラウド１１２０はまた、不活性又は不活性でないガス１１４２、又はガスの混合物を貯蔵又は保持することができる。ガス１１４２は、希ガス（例えば、ヘリウム、ネオン、アルゴン、クリプトン、キセノン）、希ガス１１４２の混合物であってもよく、又はガスを含まない（即ち、真空）こともできる。貯蔵されたガス１１４２は、０から７６０トルの間の圧力で内側シュラウド１１２０の内側領域１１４０内に保持してもよい。不活性ガス１１４２と真空の両方は、光源１２００によって発生した熱を内側シュラウド１１２０の内側領域１１４０全体に均等に分配するように働く。
【００２７】
上述したように、ハウジング１０００の第２の実施形態は、内側シュラウド１１２０によって画定された内側領域１１４０内に配置される単一の光源１２００を含む。光源１２００は、黄色の色相又は色を有する光を生成するナトリウム蒸気型ＬＳであってもよい。光源１２００は、平均波長が約５８９ｎｍである実質的に単色光を有する光を生成することができる。第１の実施形態の第１光源２００と同様に、光源１２００は、第１端部１２２０及び第２端部１２３０を有する管形状である。さらに、光源１２００は、光源１２００が第１端部１２２０と第２端部１２３０との間で内側シュラウド１１２０の内側領域１１４０を巡って湾曲して曲がることを可能にする７つの管状部分１２４０，１２４１，１２４２，１２４３，１２４４，１２４５，１２４６を含む。図示のように、第１の実施形態の第１光源２００と同様に、管状部分１２４０，１２４１，１２４２，１２４３，１２４４，１２４５，１２４６は、光源１２００のいくつかのＵ字形部分を生成し、Ｕ字形部分は、内側シュラウド１１２０の内側領域１１４０を巡って曲がる。他の実施形態では、第１光源１２００は、任意の数の管状部分を含むことができる。さらに、光源１２００は、任意の所望の形状であってもよく、単一の線状管又は単一Ｕ字形管だけで形成されてもよい。ライトシステム１０のまた他の実施形態では、光源１２００は、任意の光源であってもよく、ナトリウム蒸気型の光源に限定されない。
【００２８】
さらに例示したように、第１の実施形態の第１光源２００と同様に、ワイヤ１２１０が第１及び第２端部１１２０，１２３０から延びる。ワイヤ１２１０は、光源１２００の第１端部１２２０から下方に延びる第１組のワイヤ１２１２及び光源１２００の第２端部１２３０から下方に延びる第２組のワイヤ１２１４を含む。第１組及び第２組のワイヤ１２１２，１２１４は、ハウジング１０００の第２端部１１０４を介して及びコネクタ４００（図１に示す）を介して延びることができる。第１組のワイヤ１２１２は、光源１２００の第１端部１２２０に近い第１管状部分１２４０内に配置されたフィラメント又は電極（図示せず）に電力を供給することができる。第２組のワイヤ１２１４は、光源１２００の第２端部１２３０に近い第７管状部分１２４６内に配置されたフィラメント、又は電極（図示せず）に電力を供給することができる。第１組及び第２組のワイヤ１２１２，１２１４はまた、内側領域１１４０内で光源１２００を支持する。
【００２９】
また、第１の実施形態の第１光源２００と同様に、光源１２００はまた、希ガス（例えば、ネオン、アルゴンなど）と混合したナトリウム粒子を含む。光源１２００内に配置された希ガスは、従来のナトリウム蒸気ランプの圧力より小さい最大８トルの圧力で光源１２００内に配置されてもよい。光源１２００の２本のフィラメントの間に電気アークが発生し、管内の電気アークによって加速された自由電子がガス原子と衝突して可視光を生成する。
【００３０】
上述したように、ライトシステム１０が光源１２００のみを含む場合、ライトシステム１０は、ハウジング１０００の第１の実施形態によって出力される黄色及び白色光と比較して黄色光を出力してもよい。ライトシステム１０によって出力される黄色光は、光源１２００から生成される。真空状態である内側領域１１４０を巡って湾曲するように光源１２００を位置決めすることによって、光源１２００によって発生した熱は、内側領域１１４０内に分散して保持され、熱が光源１２００によって吸収され得る。吸収された熱は、光源１２００が固体金属粒子（即ち、本発明の実施形態におけるナトリウム）をそれらの蒸気形態に変換するのを助け、内側領域１１４０の外に配置されている光源１２００と比較して、光源１２００がこの変換を行うためにより少ない電力を使用することを可能にする。さらに、吸収された熱はまた、光源１２００がその動作温度を保持するのを助け、これはまた、光源１２００が光を出力するときに、より少ない電力を使用することを可能にする。
【００３１】
第１の実施形態と同様に、図３に示すように、コーティング１１５０は、外側シュラウド１１１０の内面上に配置される。コーティング１１５０は、赤外線光波を内側シュラウド１１２０の内側領域１１４０内に再び反射させるように構成された赤外線（ＩＲ）コーティングであってもよい。従って、コーティング１１５０は、内側シュラウド１１２０の内側領域１１４０内で光源１２００から発生する熱を反射して保持するように構成される。コーティング１１５０は、ハウジング１０００に絶縁を提供するだけでなく、可視光波（約４００〜７００ｎｍ）が内側及び外側シュラウド１１１０，１１２０の外に進むようにする。コーティング１１５０は、外側及び／又は内側シュラウド１１１０，１１２０のいずれかの表面上に配置されてもよい。また、ライトシステム１０が２つ以上のシュラウドを含む異なる実施形態では、ＩＲコーティング１１５０は、ライトシステム１０の任意のシュラウドの任意の表面（例えば、内面及び／又は外面）上にあってもよい。
【００３２】
図４を参照すると、例示的な実施形態によるライトシステム１０のハウジング２０００の詳細な斜視図が示されている。前述のハウジング１００，１０００の先の２つの例示的な実施形態と同様に、ハウジング２０００は、第１端部２１０２及び第１端部２１０２に対向する第２端部２１０４を含む。しかし、ハウジング１００，１０００の先の２つの例示的な実施形態と異なり、ハウジング２０００は、単一の容器又はシュラウド２１１０を含む。さらに、実質的に円筒形として示されているが、シュラウド２１１０は、任意の所望の形状（例えば、長方形、楕円形、球形など）であってもよい。しかし、円筒形及び楕円形のシュラウド２１１０は、第１光源２２００に対する第２光源２３００の放射及び加熱効果を向上させることができる。
【００３３】
図４に示すように、シュラウド２１１０は、第１光源２２００及び第２光源２３００を含むか又は収容する内側領域２１４０を画定する。従って、第１光源２２００及び第２光源２３００は、シュラウド２１１０の内側領域２１４０内に配置される。さらに、シュラウド２１１０はまた、不活性又は不活性でないガス２１４２、又はガスの混合物を貯蔵又は保持することができる。ガス２１４２は、希ガス（例えば、ヘリウム、ネオン、アルゴン、クリプトン、キセノン）、又は希ガス２１４２の混合物であってもよい。貯蔵されたガス２１４２は、０から７６９トルの間の圧力でシュラウド２１１０の内側領域２１４０内に保持されてもよい。ガス２１４２は、伝導によって第２光源２３００から第１光源２２００への熱伝達を助ける。不活性ガス２１４２はまた、第２光源２３００によって発生した熱をシュラウド２１１０の内側領域２１４０全体に均等に分配するように働く。
【００３４】
前述したように、ハウジング１００の第１の例示的な実施形態と同様に、ハウジング１００は、シュラウド２１１０によって画定された内側領域２１４０内に配置された第１光源２２００及び第２光源２３００を含む。第１光源２２００は、黄色の色相又は色を有する光を生成するナトリウム蒸気型ＬＳであってもよい。第１光源２２００は、平均波長が約５８９ｎｍである実質的に単色光を有する光を生成することができる。ハウジング１００の第１の例示的な実施形態内に配置された第１光源２００と同様に説明されたように、第１光源２２００は、第１端部２２２０及び第２端部２２３０を有する管形状である。第１光源２２００は、第１光源２２００が第１光源２２２０の第１端部２２２０と第２端部２２３０との間でシュラウド２１１０の内側領域２１４０を巡って湾曲して曲がることを可能にする７つの管状部分２２４０，２２４１，２２４２，２２４３，２２４４，２２４５，２２４６を含む。図に示すように、管状部分２２４０，２２４１，２２４２，２２４３，２２４４，２２４５，２２４６は、シュラウド２１１０の内側領域２１４０を巡って曲がる第１光源２２００のいくつかのＵ字形部分を形成する。他の実施形態では、第１光源２２００は、任意の数の管状部分を含むことができる。さらに、第１光源２２００は、任意の所望の形状であってもよく、単一の線状管又は単一Ｕ字形管だけで形成されてもよい。ライトシステム１０のまた他の実施形態では、上述したように、第１光源２２００は、任意の型の光源であってもよく、ナトリウム蒸気型の光源だけに限定されない。図３は、２つの光源２００，３００を示しているが、ライトシステム１０は、ハウジング２０００内に配置された２つよりも多いか又は少ない光源を含むことができる。
【００３５】
さらに図示されるように、ハウジング１００の第１の例示的な実施形態について図２に示されたものと同様に、ワイヤ２２１０が第１及び第２端部２２２０，２２３０から延びている。ワイヤ２２１０は、第１光源２２００の第１端部２２２０から下方に延びる第１組のワイヤ２２１２と、第１光源２２００の第２端部２２３０から下方に延びる第２組のワイヤ２２１４とを含む。第１組及び第２組のワイヤ２２１２，２２１４は、ハウジング２０００の第２端部２１０４を介して及びコネクタ４００（図１に示す）を介して延びることができる。第１組のワイヤ２２１２は、第１光源２２００の第１端部２２２０に近い第１管状部分２２４０内に配置されたフィラメント又は電極（図示せず）に電力を供給することができる。第２組のワイヤ２２１４は、第１光源２２００の第２端部２２３０に近い第７管状部分２２４６内に配置されたフィラメント、又は電極（図示せず）に電力を供給することができる。第１組及び第２組のワイヤ２２１２，２２１４はまた、内側領域２１４０内の第１光源２２００を支持する。
【００３６】
光源２２００は、第１の例示的な実施形態の光源２００のものと同様に、希ガス（例えば、ネオン、アルゴンなど）と混合したナトリウム粒子を含むことができる。第１光源２２００内に配置された希ガスは、従来のナトリウム蒸気ランプの圧力より小さい最大８トルの圧力で第１光源２２００内に配置されてもよい。第１光源２２００の２本のフィラメントの間に電気アークが発生し、管内の電気アークによって加速された自由電子がガス原子と衝突して可視光を生成する。
【００３７】
続けて図４を参照すると、第２光源２３００は、任意の型の光源であってもよく、これは、白色の色相又は色を有する光を生成するメタルハライドランプを含むが、これらに限定されることはない。ハウジング１００の第１の例示的な実施形態と同様に、第２光源２３００は、シュラウド２１１０の内側領域２１４０内の中央に配置されてもよい。図に示すように、第１光源２２００は、第２光源２３００の周りで湾曲して曲がる。第２光源２３００は、第２光源２３００からハウジング２０００の第２端部２１０４を介して、及びコネクタ４００（図１に示す）を介して下方に延びる１組のワイヤ２３１０を含む。１組のワイヤ２３１０は、第２光源２３００に電力を伝達し、またシュラウド２１１０の内側領域２１４０内に第２光源２３００の位置決めを支持する。第２光源２３００がメタルハライドランプである場合、第２光源２３００は、気化した水銀と金属ハロゲン化物（金属と臭素又はヨウ素の化合物）のガス混合物を介して電気アークを生成することによって動作することができる。第２光源２３００によって消費されたエネルギーの約２５％が光を生成するために使用され、消費されたエネルギーの残りの７５％が熱に変換される。
【００３８】
ハウジング１００の第１の例示的な実施形態と同様に、第１光源２２００及び第２光源２３００の両方は、ライトシステム１０から光を同時に生成するように同時に動作可能である。上記のように、ライトシステム１０が第１及び第２の光源２２００，２３００を含む場合、ライトシステム１０は、第１光源２２００からの黄色光及び第２光源２３００からの白色光を同時に生成する。同一のシュラウド２１１０内に第１及び第２の光源２２００，２３００を配置し、第２光源２３００の周りで第１光源２２００を湾曲させることにより、第２光源２３００によって発生した熱は第１光源２２００によって吸収される。上述したように、吸収された熱は、第１光源２２００が固体金属粒子（即ち、本発明の実施形態におけるナトリウム）をそれらの蒸気形態に変換するのを助け、第１光源２２００がこの変換を行うためにより少ない電力を使用することを可能にする。さらに、吸収された熱はまた、第１光源２２００がその動作温度を保持するのを助け、これはまた、第１光源２２００が光を出力するときに、より少ない電力を使用することを可能にする。
【００３９】
図４は、シュラウド２１１０の表面上のコーティング２１５０をさらに示す。コーティング２１５０は、シュラウド２１１０の内面又はシュラウド２１１０の外面のいずれかに配置されてもよい。コーティング２１５０は、赤外線光波をシュラウド１０”の内側領域２１４０内に再び反射させるように構成された赤外線（ＩＲ）コーティングであってもよい。従って、コーティング２１５０は、シュラウド２１１０の内側領域２１４０内で光源２２００，２３００から発生する熱を反射して保持するように構成される。コーティング２１５０は、ハウジング２０００に絶縁を提供するだけでなく、可視光波（約４００〜７００ｎｍ）がシュラウド２１１０の外に進むようにする。
【００４０】
図５を参照すると、ライトシステム１０のハウジング３０００の第４の実施形態の詳細な斜視図が示されている。他の実施形態と同様に、ハウジング３０００の第４の実施形態は、第１端部３１０２及び第１端部３１０２に対向する第２端部３１０４を含む。ハウジング３０００は、１つの容器又はシュラウド３１１０のみを含む。単一のシュラウド３１１０は、単一の光源３２００を収容する内側領域３１４０を画定する。実質的に円筒形として示されているが、シュラウド３１１０は、任意の所望の形状（例えば、長方形、楕円形、球形など）であってもよい。しかし、円筒形及び楕円形のシュラウド３１１０は、シュラウド３１１０の内側領域３１４０内の放射及び加熱効果を向上させることができる。シュラウド１１０の内側領域３１４０は、不活性又は不況性でないガス、又はガスの混合物を貯蔵又は保持することができる。シュラウド１１０の内側領域３１４０がガスを保持する場合には、そのガスは、希ガス（例えば、ヘリウム、ネオン、アルゴン、クリプトン、キセノン）、希ガスの混合物であってもよく、ガスを含まない（即ち、真空）こともできる。任意の貯蔵されたガスは、０から７６０トルの間の圧力でシュラウド３１１０の内側領域３１４０内に保持されてもよい。内側領域３１４０が真空を含む場合、その真空は、高真空（即ち、１００ｍＰａから１００ｎＰａの範囲の圧力）であってもよい。不活性ガス及び真空は、両方とも内側領域３１４０内で発生した熱を内側領域３１４０の全体に均一に分配するように働く。
【００４１】
図５に示すように、ハウジング３０００の第３の実施形態は、単一のシュラウド３１２０によって画定された内側領域３１４０内に配置された単一の光源３２００を含む。光源３２００は、任意の型のガス放電ランプであってもよく、これは、黄色の色相又は色を有する光を生成するナトリウム蒸気型ランプ、又は白色の色相又は色を有する光を生成するメタルハライドランプを含むが、これらに限定されることはない。光源３２００は、第１端部３２２０及び第２端部３２３０を有する管状であってもよく、管状部分３２４０は、第１端部３２２０と第２端部３２３０との間で実質的にＵ字型に延びる。光源３２００の第１端部３２２０は、第１フィラメント３２２２を収容することができ、第２端部３２３０は、第２フィラメント３２３２を収容することができる。光源３２００はＵ字型であるように示されているが、光源３２００はシュラウド３１１０の内側領域３１４０内で任意の形状であってもよい。
【００４２】
図５にさらに示すように、ワイヤ３２１０が第１及び第２端部３２２０，３２３０から延びる。ワイヤ３２１０は、光源３２００の第１端部３２２０から下方に延びる第１組のワイヤ３２１２及び光源３２００の第２端部３２３０から下方に延びる第２組のワイヤ３２１４を含む。第１組及び第２組のワイヤ３２１２，３２１４は、ハウジング３０００の第２端部３１０４を介して、及びコネクタ４００（図１に示す）を介して延びることができる。第１組のワイヤ３２１２は、光源３２００の第１端部３２２０内のフィラメント３２２２に電力を供給することができ、第２組のワイヤ３２１４は、光源の第２端部３２３０内のフィラメント３２３２に電力を供給することができる。第１組及び第２組のワイヤ３２１２，３２１４はまた、シュラウド３１１０の内側領域３１４０内の光源３２００を支持する。電力がフィラメント３２２２，３２３２に供給されるとき、光源３２００の管状本体部を介して２本のフィラメント３２２２，３２３２の間に電気アークが発生し、管内の電気アークによって加速された自由電子がガス原子と衝突して可視光を生成する。
【００４３】
上述したように、ライトシステム１０が光源３２００のみを含む場合、ライトシステム１０は、第１及び第３実施例１００，２００のような多重光源ではなく、単一の光源３２００によって生成された光のみを出力することができる。真空状態である内側領域３１４０を巡って湾曲するように光源３２００を位置決めすることによって、光源３２００によって発生した熱は、内側領域３１４０内に分散して維持され、熱が光源３２００によって吸収することができる。吸収された熱は、光源３２００が固体金属粒子（即ち、ナトリウム蒸気ランプにおけるナトリウム）を蒸気形態に変換させるのを助け、内側領域３１４０の外に配置されている光源３２００と比較するとき、光源３２００がこの変換を行うのにさらに少ない電力を使用することを可能にする。さらに、吸収された熱はまた、光源３２００がその動作温度を保持するのを助け、これはまた、光源３２００が光を出力するときに、さらに少ない電力を使用することを可能にする。
【００４４】
図５に示すように、他の実施形態と同様に、コーティング３１５０が単一のシュラウド３１１０の内面に配置される。しかし、他の実施形態とは異なり、コーティング３１５２はまた、光源３２００の管（tube）の外面に配置することもできる。コーティング３１５０は、単一のシュラウド３１１０の任意の表面（内側又は外面）に配置されてもよい。同様に、コーティング３１５２は、光源３２００の管の任意の表面（内側又は外面）に配置されてもよい。コーティング３１５０，３１５２は、赤外線光波を単一のシュラウド３１２０の内側領域３１４０及び／又は光源３２００の管３２４０の内側で再び反射させるように構成された赤外線（ＩＲ）コーティングであってもよい。従って、コーティング３１５０，３１５２は、単一のシュラウド１１２０の内側領域３１４０内で及び／又は光源３２００の管状部分３２４０内で光源３２００から発現する熱を反射して保持するように構成される。コーティング３１５０は、ハウジング３０００に絶縁を提供するが、コーティング３１５２は、光源３２００の管３２４０に絶縁を提供する。コーティング３１５０，３１５２は、絶縁を提供するだけでなく、可視光波（約４００〜７００ｎｍ）が管及びシュラウド３１１０の外に進むようにする。
【００４５】
図６を参照すると、コーティング１５０，１１５０，２１５０，３１５０，３１５２の透過率及び反射特性を示すチャートが示されている。７００ｎｍよりも小さい光波の場合、コーティング１５０，１１５０，２１５０，３１５０，３１５２は、約９４％の透過率Ｔ及び約５％の反射率Ｒを有する。従って、この範囲の波長内に該当する光波の場合、コーティング１５０，１１５０，２１５０，３１５０は、シュラウド１１０，１１１０，２１１０，３１１０を介して約９４％の光を許容し、光波の５％のみを内側領域１４０，１１４０，２１４０，３１４０内に反射する。同様に、７００ｎｍよりも小さい光波の場合、コーティング３１５２は、光源３２００の管状部分３２４０を介して約９４％の光を許容し、光波の５％のみを光源３２００の管状部分３２４０の内側領域内に反射させる。
【００４６】
しかし、光波の波長が約７００ｎｍから約１２００ｎｍまで増加するにつれて、コーティング１５０，１１５０，２１５０，３１５０，３１５２の反射率Ｒ特性もまた、約７００ｎｍの光波の約５％から約１２００ｎｍの光波の約９４％まで直線的に増加する。反対に、光波の波長が約７００ｎｍから約１２００ｎｍまで増加するにつれて、コーティング１５０，１１５０，２１５０，３１５０，３１５２の透過率Ｔ特性は、７００ｎｍの光波の約９４％から１２００ｎｍの光波の約５％まで減少する。さらに、１２００ｎｍより大きい波長を有する光波の場合、コーティング１５０，１１５０，２１５０，３１５０，３１５２は、約５％の透過率Ｔ及び約９４％の反射率Ｒを有する。従って、１２００ｎｍより大きい波長を有する光波の場合、コーティング１５０，１１５０，２１５０，３１５０は、シュラウド１１０，１１１０，２１１０，３１１０を介して光波の約５％のみを許容して光波の約９４％を内側領域１４０，１１４０，２１４０，３１４０内に反射させる。同様に、１２００ｎｍより大きい波長を有する光波の場合、コーティング３１５２は、光源３２００の管状部分３２４０を介して光の約５％のみを許容して光波の約９４％を光源３２００の管状部分３２４０の内側領域内に反射させる。
【００４７】
図６のチャートに示されるように、コーティング１５０，１１５０，２１５０，３１５０，３１５２は、可視光スペクトル（４００ｎｍ〜７００ｎｍ）内の光波がハウジング１００，１０００，２０００，３０００の外に進むようにし、１２００ｎｍより大きい光波（ＩＲ光波、マイクロ波など）をハウジング１００，１０００，２０００，３０００の内側領域１４０，１１４０，２１４０，３１４０又は光源３２００の管状部分３２４０の内側領域内に再び反射させる。
【００４８】
ハウジング１００，１０００の第１及び第２例示的な実施形態では、コーティング１５０，１１５０、外側シュラウド１１０，１１１０、及び内側シュラウド１２０，１１２０の間の真空、及び内側シュラウド１２０，１１２０の内側領域１４０，１１４０内の真空又は低圧の希ガスの組み合わせは、ハウジング１００，１０００に絶縁を提供する。上述したように、外側及び内側シュラウド１１０，１１１０，１２０，１１２０の間の真空及び内側シュラウド１２０，１１２０の内側領域１４０，１１４０内に配置された希ガスは、内側シュラウド１２０，１１２０の内側領域１４０，１１４０の全般にわたり、光源２００，１２００，３００によって生成された熱を均等に分散させる。内側シュラウド１１２０の内側領域１１４０が希ガスの代わりに真空を含む場合、真空はまた、内側シュラウド１１２０の内側領域１１４０の全般にわたり、光源１２００によって生成された熱を均等に分散させる。
【００４９】
コーティング２１５０及びシュラウド２１１０の内側領域２１４０内の真空又は低圧の希ガスの組み合わせのみを使用するハウジング２０００の第３例示的な実施形態は、ハウジング１００，１０００とほぼ同等の絶縁を提供することができる。さらに、コーティング３１５０，３１５２、及び単一のシュラウド３１１０の内側領域３１４０内の真空又は低圧の希ガスの組み合わせを使用するハウジング３０００の第４の例示的な実施形態は、ハウジング１００，１０００，２０００とほぼ同等の絶縁を提供することができる。ハウジング１００，１０００と同様に、シュラウド２１１０，３１１０の内側領域２１４０，３１４０内に配置された真空又は希ガスは、シュラウド２１１０，３１１０の内側領域２１４０，３１４０の全般にわたり、光源２２００，２３００，３２００によって生成された熱を均等に分散させる。
【００５０】
シュラウド１１０，１１１０，２１１０，３１１０の表面上に反射コーティング１５０，１１５０，２１５０，３１５０を追加することによって、光源２００，３００，１２００，２２００，２３００，３２００によって生成された可視光スペクトルの光波がシュラウド１１０，１２０，１１１０，１１２０，２１１０，３１１０を越えて続けて進むようにしながら、ハウジング１００，１０００，２０００，３０００内に光源２００，３００，１２００，２２００，２３００，３２００によって生成された熱を保持することを助ける。これらの要素の組み合わせは、光源２００，３００，１２００，２２００，２３００，３２００によって発生した熱がシュラウド１２０，１１２０，２１１０，３１１０の内側領域１４０，１１４０，２１４０，３１４０をそれぞれ加熱することを可能にする。さらに、光源３２００の管状部分３２４０の表面上の反射コーティング３１５２は、光源３２００によって生成された可視光スペクトルの光波が光源３２００の管状部分３２４０を越えて続けて進むようにしながら、光源３２００の管状部分３２４０の内側領域内に光源３２００によって生成された熱を保持するのを助ける。
【００５１】
シュラウド１２０，１１２０，２１１０，３１１０の内側領域１４０，１１４０，２１４０，３１４０、及び光源３２００の管状部分３２４０の内側領域の温度をそれぞれ増加させることにより、光源２００，１２００，２２００，３２００が光源２００，１２００，２２００，３２００の固体粒子を気化させて所望の動作温度を保持するのにさらに少ない電力を使用することを可能にする。また、内側領域１４０，１１４０，２１４０，３１４０、及び光源３２００の管状部分３２４０の内側領域の増加した温度は、光源２００，１２００，２２００，３２００がさらに高温で動作できるようにし、これは、光源２００，１２００，２２００，３２００によって出力された光の量を増加させる。コーティング１５０，１１５０，２１５０，３１５０，３１５２、外側シュラウド１１０，１１１０、及び内側シュラウド１２０，１１２０の間の真空、及びシュラウド１２０，１１２０，２１１０，３１１０の内側領域１４０，１１４０，２１４０，３１４０内の低圧の希ガスは、それぞれ単一ナトリウム蒸気ランプ又はメタルハライドランプより効率的なライトシステム１０を提供するために組み合わせわせる。例えば、ナトリウム蒸気ランプを含む本明細書で説明した本発明の実施形態は、ワット当たり約３００ルーメンの発光効率で光（即ち、黄色及び白色の混合、黄色光、白色光など）を生成することが可能になる。さらに、本明細書で説明した第１及び第３の発明の実施形態の第１及び第２の光源２００，２２００，３００，２３００によって出力される黄色及び白色光の組み合わせは、従来のナトリウム蒸気ランプから生成される単色の黄色光よりも優れた演色を提供するランプ。
【００５２】
本発明のライトシステム、又はその一部分は、ガラス、プラスチック、発泡プラスチック、木材、厚紙、プレス紙、金属、柔軟な天然素材又は合成素材（綿、弾性ポリマー、ポリエステル、プラスチック、ゴム、それらの誘導体、及びそれらの組み合わせを含むが、これらに限定さない）などの任意の適切な材料又は材料の組み合わせから製造され得ることを理解されたい。適切なプラスチックは、高密度ポリエチレン（ＨＤＰＥ）、低密度ポリエチレン（ＬＤＰＥ）、ポリスチレン、アクリロニトリルブタジエンスチレン（ＡＢＳ）、ポリカーボネート、ポリエチレンテレフタレート（ＰＥＴ）、ポリプロピレン、エチレン酢酸ビニル（ＥＶＡ）などを含むことができる。適切な発泡プラスチックは、発泡又は押出ポルリステレン、発泡又は押出ポリプロピレン、ＥＶＡ発泡体、それらの誘導体及びそれらの組み合わせを含むことができる。
【００５３】
本明細書で使用される「左側」、「右側」、「上部」、「下部」、「前方」、「後方」、「側面」、「高さ」、「長さ」、「幅」、「上部、下部」、「内部」、「外部」、「内側」、「外側」等のような用語は、単に参照の地点又はその部分を説明しているに過ぎず、本発明を特定の方向又は構成に制限するものではないことを理解しなければならない。また、「例示的な」という用語は、本明細書で例示又は説明を説明するために使用される。例示として本明細書に記載された任意の実施形態は、好ましい又は有利な実施形態として解釈されるべきではなく、むしろ本発明の可能な実施形態の一例又は例示として解釈されるべきである。
【００５４】
開示された発明は１つ以上の特定の例において具体化されるように本明細書に示して説明されたが、本発明の範囲から逸脱することなく請求の範囲の等価物の範囲及び範囲内で様々な修正及び構造的変更がなされ得るため、これは、示された詳細に限定されることはない。また、実施形態のうちの１つからの様々な特徴は、他の実施形態に組み込まれてもよい。従って、添付された請求の範囲は、請求の範囲に記載されている本開示の範囲と一致する形で広範囲に解釈されることが適切である。
【図１】
2019522321.tif 000003
【図２】
2019522321.tif 000004
【図３】
2019522321.tif 000005
【図４】
2019522321.tif 000006
【図５】
2019522321.tif 000007
【図６】
2019522321.tif 000008
【国際調査報告】
2019522321.tif 000009